(57)【要約】【課題】インキジェット方式により全ての画素が均一に着色され、色度が所望の値に調整されたカラーフィルタを提供することである。【解決手段】複数のドロップからなるインキを連続してインキ吐出口より吐出するインキジェット方式によるカラーフィルタの色度調整方法において、ドロップ数を増減させて色度調整を行う際に、同時吐出の同相隣接ノズルと同ドロップ数のノズルを優先的に選択し、または同相隣接ノズルとのドロップ数差が最も少ないノズルを優先的に選択し、または同相隣接ノズルとのドロップ数差が最も多いノズルを優先的に除外し、吐出量を増減させるインキジェット方式によるカラーフィルタの色度調整方法、およびその色度調整方法により製造されたことを特徴とするカラーフィルタ。【選択図】なし【特許請求の範囲】
【請求項１】
複数のドロップからなるインキを連続してインキ吐出口より吐出して色画素を形成するインキジェット方式によるカラーフィルタの色度調整方法において、
ドロップ数を増減させて色度調整を行う際に、同時吐出の同相隣接ノズルと同ドロップ数のノズルを優先的に選択し、吐出量を増減させることを特徴とするインキジェット方式によるカラーフィルタの色度調整方法。
【請求項２】
インキジェット方式によるカラーフィルタの色度調整方法において、
ドロップ数を増減させて色度調整を行う際に、同相隣接ノズルとのドロップ数差が最も少ないノズルを優先的に選択し、吐出量を増減させることを特徴とするインキジェット方式によるカラーフィルタの色度調整方法。
【請求項３】
インキジェット方式によるカラーフィルタの色度調整方法において、
ドロップ数を増減させて色度調整を行う際に、同相隣接ノズルとのドロップ数差が最も多いノズルを優先的に除外し、吐出量を増減させることを特徴とするインキジェット方式によるカラーフィルタの色度調整方法。
【請求項４】
複数のドロップからなるインキを連続してインキ吐出口より吐出して色画素を形成するインキジェット方式によるカラーフィルタの色度調整方法を用いて製造したカラーフィルタであって、
前記請求項１乃至３のいずれか１項に記載のインキジェット方式によるカラーフィルタの色度調整方法により製造されたことを特徴とするカラーフィルタ。
【発明の詳細な説明】
【技術分野】
【０００１】
本発明は、インキジェット方式による液滴吐出方法、カラーフィルタの製造方法、カラーフィルタに関する。
【背景技術】
【０００２】
近年、カラーフィルタのコストダウン化に伴って基板サイズの大型化が進んでおり、また、従来のフォトリソグラフィ工程を繰り返す顔料分散法ではインキの使用量が多いため、さらなるコストダウン化のためにインキの使用量の少ないインキジェット装置を用いた方法が検討されている。
【０００３】
インキジェット方式を用いてカラーフィルタの製造を行う際には、色度を所望の値に調整するために吐出ドロップ量を可変させて調整する方法があるが、隣接ノズルから同時に吐出されるかどうかによって、インキの吐出量が変化するクロストークという現象が存在するため、正確な色度を得るための微調整が難しい。
【０００４】
その他のドロップ量可変手段としては、特許文献１に開示されているように、それぞれのノズルの駆動電圧値を変更する方法があるが、単ノズル制御の機能を有しないヘッドではセル毎の吐出量調整が難しく、また推奨電圧範囲外の調整も行うことができない。
【０００５】
以下に公知文献を記す。
【特許文献１】特開２００４−９０６２１号公報
【発明の開示】
【発明が解決しようとする課題】
【０００６】
そこで本発明は上記問題を鑑みたものであり、その課題とするところは、インキジェット方式により全ての画素が均一に着色され、色度が所望の値に調整されたカラーフィルタを提供することである。
【課題を解決するための手段】
【０００７】
本発明の請求項１に係る発明は、複数のドロップからなるインキを連続してインキ吐出口より吐出して色画素を形成するインキジェット方式によるカラーフィルタの色度調整方法において、
ドロップ数を増減させて色度調整を行う際に、同時吐出の同相隣接ノズルと同ドロップ数のノズルを優先的に選択し、吐出量を増減させることを特徴とするインキジェット方式によるカラーフィルタの色度調整方法である。
【０００８】
本発明の請求項２に係る発明は、インキジェット方式によるカラーフィルタの色度調整方法において、
ドロップ数を増減させて色度調整を行う際に、同相隣接ノズルとのドロップ数差が最も少ないノズルを優先的に選択し、吐出量を増減させることを特徴とするインキジェット方式によるカラーフィルタの色度調整方法である。
【０００９】
本発明の請求項３に係る発明は、インキジェット方式によるカラーフィルタの色度調整方法において、
ドロップ数を増減させて色度調整を行う際に、同相隣接ノズルとのドロップ数差が最も多
いノズルを優先的に除外し、吐出量を増減させることを特徴とするインキジェット方式によるカラーフィルタの色度調整方法である。
【００１０】
本発明の請求項４に係る発明は、複数のドロップからなるインキを連続してインキ吐出口より吐出して色画素を形成するインキジェット方式によるカラーフィルタの色度調整方法を用いて製造したカラーフィルタであって、
前記請求項１乃至３のいずれか１項に記載のインキジェット方式によるカラーフィルタの色度調整方法により製造されたことを特徴とするカラーフィルタである。
【発明の効果】
【００１１】
本発明によれば、インキジェット方式によるカラーフィルタ作成の際に、クロストークによる色度変化の影響を最小限に抑制することが出来るので、色度の微調整を行いやすくなり、その結果、所望の色度の値が得られ、均一に着色されたカラーフィルタを作成することが可能となり、従って、カラーフィルタとしての要求特性に優れ、色特性に優れたカラーフィルタを提供できる。
【発明を実施するための最良の形態】
【００１２】
本発明の実施の形態を、シェアウェーブモードのインキジェットヘッドを用いて説明するが、本発明はこれにより限定されるものではない。
【００１３】
図１は、シェアウェーブモードのインキジェットヘッドのインキ吐出部を示した図である。この場合、インキジェットヘッド１は、複数列に整列配置されたインキ吐出口２を備える。そして、列ごとに順次繰り返し吐出が行なわれる。以下、図１に示すように、３相のインキ吐出口の列からなる（以下、各列をＡ相、Ｂ相、Ｃ相という。）インキジェットヘッドを例に説明する。
【００１４】
このインキジェットヘッド１は、Ａ相、Ｂ相、Ｃ相に対応するバッファ（以下、ラインバッファという。）を備えていて、各相のラインバッファは相互に情報を転送することができる。例えば、Ａ相では、すべて同時吐出となり、同相隣接ノズルが同時刻にインキ吐出を開始する。その際、インキの吐出量は、インキの膜厚に規制され、その膜厚の調整はドロップ数を増減させて行い、その膜厚の増減で色度調整を行う。
【００１５】
このインキジェットヘッドから吐出されるまでの簡単な動作フローを図２に示す。まず、Ａ相ラインバッファが、吐出パターン情報を受けとり、その転送された情報のうちＡ相に関する情報に基づいてＡ相インキ吐出口から吐出を開始する。また、Ａ相インキ吐出口から吐出開始と同時に、吐出パターン情報をＡ相ラインバッファからＢ相ラインバッファに転送する。
【００１６】
Ａ相インキ吐出口から吐出終了後、Ｂ相インキ吐出口は、転送された吐出パターン情報のうちＢ相に関する情報に基づいて吐出を開始する。また、Ｂ相インキ吐出口から吐出開始と同時に、吐出パターン情報をＢ相ラインバッファからＣ相ラインバッファに転送する。
【００１７】
Ｂ相インキ吐出口から吐出終了後、Ｃ相インキ吐出口は、転送された吐出パターン情報のうちＣ相に関する情報に基づいて吐出を開始する。
【００１８】
Ｃ相インキ吐出口から吐出終了後、ラインカウンターにて設定回数ライン吐出を行ったかどうかの判定を行い、設定回数の吐出が行なわれていなければ、吐出パターン情報をＡ相ラインバッファに転送する。
【００１９】
再び、Ａ相インキ吐出口は吐出パターン情報に基づいて吐出開始する。以下、前述した動作をライン数分繰り返し行い、所望の印刷パターンを作成する。
【００２０】
各ノズルの吐出量は、吐出ドロップ数によって調節することができる。たとえば、１回あたりのノズル動作で吐出されるドロップレット量を８ｐｌとすると、１ラインあたり４０ｐｌ吐出を行う場合には、ノズルを５回連続で動作させて吐出を行う。また同じ相に注目した場合、各ノズルの１ドロップ目の吐出は同時に開始され、２ドロップ目以降の各ドロップは同じ周期で吐出される。
【００２１】
このインキジェットヘッドを用いて吐出を行う場合、同相の隣接ノズルから同時に吐出されるかどうかによって、インキの吐出量は変化する。この現象をクロストークと呼ぶ。隣接ノズルを休止させた場合は、吐出量が増加する。
【００２２】
さらに、隣接ノズルとドロップ数差が生じたときも、クロストークの現象が発生する。この現象を、図３を用いて説明を行う。仮に１つのノズルのみ、例えば特定ノズル１０のみ５ドロップで塗工を行い、周囲のノズル１２を１０ドロップで塗工を行った場合には、各ノズルの吐出は同時開始、同周期で行われているために、５ドロップ目までは全ノズルから吐出が行われているのでクロストークの現象は起きないが、５ドロップ目以降１０ドロップ目までは１つのノズルのみ、すなわち特定ノズル１０のみ吐出が行われていないため、その隣接ノズル１１は１ドロップずつクロストークの影響を受け、吐出量は増加する。
【００２３】
この際、１つのノズル、例えば特定ノズル１０は、隣接ノズル１１とのドロップ数差が１の場合のみ、クロストーク現象が緩和されることが実験的に判明している。図４は、特定ノズル１０の隣接のノズル１１ａを１０ドロップに設定し、特定ノズル１０ａのドロップ数を０、から１０まで可変させた場合の、クロストークの影響を示したグラフである。なお、参考図は、クロストーク現象を実験する説明図である。１つのノズル、例えば特定ノズル１０と隣接ノズル１１とのドロップ数差が１の場合はクロストークによる吐出量の増加量はほとんどないが、隣接ノズルとのドロップ数差が２以上になると、クロストークの影響が増加する。
【００２４】
この現象を用いることによって、ドロップ数を増減させて色度調整を行う際に、隣接ノズルと同ドロップ数のノズルを選択的に使用すれば、吐出量変更後のドロップ数差が１になるので、クロストークの影響を除外することができる。
【００２５】
また、調整中に隣接ノズルと同ドロップ数のノズルが存在しなくなった場合や、始めから隣接ノズルとのドロップ数差が１以上のノズルしか存在しない場合には、隣接ノズルとのドロップ数差が最も少ないノズルを優先的に選択してドロップを増減させる。
【００２６】
或いは、隣接ノズルとのドロップ数差が最も多いノズルを優先的に除外することによって、残りのノズルから選択してドロップ数を増減させることにより、クロストークの影響を最小限に軽減することができる。
【００２７】
以上の現象を用いることにより、カラーフィルタの塗工の際に、クロストークの影響を除外して色度調整を行うことができる。
【００２８】
図５に本発明によるカラーフィルタの製造方法の一実施例を図示した。図５のカラーフィルタでは、透明基板５１上にブラックマトリクス５２が形成される。さらにブラックマトリクス５２間の開口部にインキジェット法により赤色（Ｒ）と、緑色（Ｇ）と、青色（Ｂ）の着色インキ５６を吐出した後、先ず溶剤を蒸発させ、次にインキを硬化させることにより、着色パターン５６（５６Ｒ、５６Ｇ、５６Ｂ）を形成する。
【００２９】
このようにして得られたカラーフィルタは、所望の色度の値が得られ、色特性に優れたカラーフィルタであった。
【図面の簡単な説明】
【００３０】
【図１】シェアウェーブモードのインキジェットヘッドのノズル構成を示す説明図である。
【図２】インキジェットヘッドから吐出されるまでの動作を示すフローチャートである。
【図３】周囲ノズルよりドロップ数を減らした場合の、クロストーク現象の説明図である。
【図４】隣接ノズルとのドロップ数を変化させた場合の、クロストークによる吐出量係数である。
【図５】本発明におけるカラーフィルタの製造方法を示す説明図である。
【符号の説明】
【００３１】
１…インキジェットヘッド
２…インキ吐出口
１０…一つのノズル、例えば特定ノズル
１０ａ…（ドロップ数を可変した）特定ノズル
１１…（同相）隣接ノズル
１１ａ…（１０ドロップに固定した）隣接ノズル
１２…周囲ノズル
３１…吐出ドロップ
５１…透明基板
５２…ブラックマトリクス
５３…ポストベーク後の撥インキ性隔壁
５４…ポストベーク後のブラックマトリクス
５５…インキジェット装置
５６…着色パターン
５６Ｒ…着色パターン（赤）
５６Ｇ…着色パターン（緑）
５６Ｂ…着色パターン（青）
【図１】
2008268573.tif 000002
【図２】
2008268573.tif 000003
【図３】
2008268573.tif 000004
【図４】
2008268573.tif 000005
【図５】
2008268573.tif 000006